(57)【要約】      （修正有）【課題】車椅子等に装着される補助グリップに於いて、個々の背の高さに調節できること、着脱を可能にすること、多種の車椅子等の把手部に対応する固定手段を設置すること、把手部の向きの調整が可能にすること、個々の適応した角度に調節可能にすることが出来る補助グリップを提供する。【解決手段】押車の把手部本体１に固定される固定部２と該固定部２から上方への突設長さを有する伸縮部５と該伸縮部５から任意の角度に回転し，固定し得る把手部４とからなる補助グリップである。【選択図】図１
2008079768.tif 000002
【特許請求の範囲】
【請求項１】
押車の把手部本体に固定される固定部と、該固定部から上方への突設長さを有する伸縮部と、該伸縮部から任意の角度に回転し、固定し得る把手部とからなることを特徴とする補助グリップ
【請求項２】
前記固定部は、半円筒に形成された第一側部とそれに対向するように設けられる半円筒に形成された第二側部と、一方の側部が他方の側部に対して進退させる移動手段とからなることを特徴とする請求項１記載の補助グリップ
【請求項３】
前記伸縮部は、該固定部から上方へ突設された円柱体と、該円柱体を挿入可能な筒状パイプと、該筒状パイプの側面に配置される高さ及び方向調節器具が配置されていることを特徴とする請求項1または請求項２記載の補助グリップ
【請求項４】
前記把手部から任意の角度で傾伏可能とする関節部を有した請求項1ないし請求項３記載の補助グリップ
【発明の詳細な説明】
【技術分野】
【０００１】
本考案は、押車等の把手部に装着される補助グリップに関するものである。
【背景技術】
【０００２】
車椅子等の押車の把手部は高さ調節が可能なものが少ない。可能なものでも5センチ程度である。後付けの補助グリップはない。よく似たもので、車椅子に装着するハンドルグリップオプションがある。これは、操作しやすくするために単に横棒にするためのものである。
【特許文献１】特開平１０−１０８８８１号  公報
【発明の開示】
【発明が解決しようとする課題】
【０００３】
従来の方法では、解決しようとする課題が５点ある。
第一に、背の高い介助者又は利用者は、把手部が低いと背中を曲げて押すことになり、腰や腕に負担がかかるので、個々の背の高さに調節できることが課題である。
第二に、着脱を可能にすることが課題である。身長の違う介助者及び利用者が二人以上
いる場合、または背の高いヘルパー等が何台かの多種の車椅子を介助する場合、または病院、施設、スーパー等多くの利用者が使用する場合、またはレンタルなどで利用する場合など、不要なとき必要なときに着脱可能でなければいけない。また、今までに購入した車椅子等の高価なものは簡単に買い替えができない。買い替えずに高さを調節するには、着脱を可能にすることが課題である。
【０００４】
第三に、車椅子等の把手部には様々な太さがあり、太さが違っても強固に固定しなけれ
ばいけない。そのため、多種の車椅子等の押車の把手部に対応するための固定手段を設置することが課題である。
第四に、把手部の向きは、車椅子、シルバーカー、ベビーカー等によって縦方向と横方向があるので、個々の適応した位置に調整するため、把手部の向きの調整が可能にするこ
とが課題である。
第五に、補助グリップを装着した際、角度のずれが生じるため、把手部の角度が利用しにくくなることがある。個々の適応した角度に調節可能にすることが課題である。
【課題を解決するための手段】
【０００５】
上記課題を解決するために本発明は、押車等の把手部本体に固定される固定部と、該固定部から上方への突設長さを有する伸縮部と、該伸縮部から任意の角度に回転し、固定し得る把手部とからなる補助グリップによって達成される。
【発明の効果】
【０００６】
本発明は、上記の構成からなるので、様々な太さの把手部に装着が可能になる。よって、多種の車椅子等の押車の把手部に対応することができる。また補助グリップを装着することによって操作位置が高くなるので、身長の違う介助者及び利用者が二人以上いる場合、または背の高いヘルパー等多種の車椅子を介助する場合、または病院、施設、スーパー等多くの利用者が使用する場合、またはレンタルなどで利用する場合等、複数の利用者が使用する場合、着脱が可能なため個々の身長に合うように必要な時だけ利用することができる。また、今までに購入した車椅子等、高価なものでも買い替えずに簡単に高さを調節できる。背の高い介助者又は利用者は、背中を曲げて押すことがなくなり、腰や腕に負担がかからなくなる。
【発明を実施するための最良の形態】
【０００７】
以下、本発明の実施の形態を、図面を参照して説明する。
図１は、本発明の補助グリップの一例を装着した状態の斜視図である。車椅子等押車の把手部本体１に固定される固定部２があり、固定部２には上方へ突設する円柱体３が設けられている。４は把手部本体で伸縮部５と伸縮部５を一体に一定角度をなす把手部６とからなる。伸縮部５は、円柱体３を挿入可能な筒状パイプ７からなり、筒状パイプ７にはネジ穴８が少なくとも１箇所以上あり、ネジ穴を通したネジ状留め具９の一端には挟持板１０がある。ネジ状留め具９を回すことによって固定する。
【０００８】
図２は、本発明の補助グリップの固定部の断面図を示す。２は固定部で、半円筒に形成された第一側部１１とそれに対向するように設けられる半円筒に形成された第二側部１２があり、第二側部１２を第一側部１１に対して進退させる移動手段１３からなる。進退の移動方向は逆であっても良い。両側部の内側には、滑り止め部材１４が被着されている。移動手段１３は、１５のボルト材を回すことによって第二側部１２が開閉し固定する。
【０００９】
図３は、補助グリップの一例を示す伸縮部の正面図である。固定部２から上方へ突設された円柱体３と、円柱体３を挿入可能な筒状パイプ７と、筒状パイプ７の側面に配置される高さ及び方向調節器具１６が配置されている。高さ及び方向調整器具１６は、筒状パイプ７の側面に突出部位A１７にネジ１８を固定し、もう一方の突出部位B１９に通す。２０のネジ受けを回すことによって固定する。把手部の微妙な高さ及び向きが調整自在となる。把手部には車椅子、シルバーカー、ベビーカー等によって縦方向と横方向があるので、機種に適応した位置に調節が可能になる。また、微妙な高さの調節も可能になり、より個々に適応した高さに配置できる。
【００１０】
図４は、請求項４記載の補助グリップの構造例である。伸縮部５と把手部本体を任意の角度で傾伏可能とする関節部２１がある。関節部２１には把手部６と逆端部に半円形の角度調節具２２があり、角度調節具２２には円を描くように複数のネジ穴２３がある。筒状パイプ７の上端部には角度調節具受け２４がある。角度調節具受け２４は、パイプの上端部の中心は二股に分かれている。側面には少なくとも１箇所以上のネジ穴２５がある。角度調節具２２と角度調節具受け２４の中心軸２６を把手部６が動くように固定する。把手部６の角度は、任意の角度に変えてネジ穴２５にネジを挿入することによって固定される。把手部には、滑り止めのためのゴム製のグリップが被着されている。
【００１１】
図５は補助グリップの装着例である。図Aは、車椅子に装着した状態を示す。図Bは、ベビーカーやシルバーカーに装着した状態を示す。
【実施例】
【００１２】
以下、添付図面に従って一実施例を説明する。
図２に示す如く、固定部の半円筒に形成された第一側部１１と、それに対向するように設けられる半円筒に形成された第二側部１２で、車椅子等の把手部１を挟み込み、ボルト１５を廻して第二側部１２を第一側部１１に対して前進させ、強固に固定する。車椅子では、左右両把手部に装着する（図５A）。
図４に示す如く、固定部２から上方へ突設された円柱体３を挿入可能な筒状パイプ７を上下左右に動かし、車椅子等を操作する人の身長、及び操作しやすい方向に合わせ、筒状パイプ７の側面に配置される高さ及び方向調節器具１６によって固定する。シルバーカーやベビーカー等横向きに設置するものもある。（図５B）
【００１３】
把手部から繋がる角度調節具２２を、把手部６を操作しやすい角度に合わせて固定する。そのため、装着時の角度のずれがなくなり、操作しやすい角度で固定できる。よって、介助者または利用者の個々に適した介助または利用しやすい位置に調整ができる。
（４）  使用しない場合は、取り外しが簡単にできる。また、取り付けた状態でも、把手部の方向を変えることによって邪魔にならず、元の状態で使用できる。
【図面の簡単な説明】
【００１４】
【図１】本発明に係る補助グリップの一例を装着した状態の斜視図である。
【図２】固定部の断面図である。
【図３】補助グリップの一例の伸縮部の正面図（一部断面図）である。
【図４】本発明請求項４に係る補助グリップを取り付けた状態の斜視図である。
【図５】本発明に係る補助グリップの装着例である。
【符号の説明】
【００１５】
１  押車等の把手部本体
２  固定部
３  円柱体
４  補助グリップ把手部本体
５  伸縮部
６  補助グリップ把手部
７  筒状パイプ
８  ネジ穴
９  ネジ状留め具
１０  挟持板
１１  第一側部
１２  第二側部
１３  移動手段
１４  滑り止め部材
１５  ボルト材
１６  高さ及び方向調節器具  
１７  突出部位A
１８  ネジ
１９  突出部位B
２０  ネジ受け
２１  関節部
２２  角度調節具
２３  無数のネジ穴
２４  角度調節具受け
２５  ネジ穴
２６  角度調節具受けの中心軸
【図１】
2008079768.tif 000003
【図２】
2008079768.tif 000004
【図３】
2008079768.tif 000005
【図４】
2008079768.tif 000006
【図５】
2008079768.tif 000007